(57)【要約】【課題】多色印刷の印刷ジョブを複数実行する際の版胴の交換作業を軽減する。【解決手段】本孔版印刷システムでは、各インク色用の版胴Ａ２５、版胴Ｂ２５、版胴Ｃ２５を交換してセットすることで多色印刷できる孔版印刷機１に、ユーザ１〜４のクライアント端末ＰＣ１〜ＰＣ４からの印刷ジョブによる印刷の順序を示す印刷順序情報を、プリンタサーバＳから出力する。これにより、孔版印刷機１は、１番目の印刷ジョブから４番目の印刷ジョブまでを通して黒インク色の孔版印刷動作を連続して実行し、青インク色用の版胴Ｂ２５への版胴交換後、１番目、２番目、４番目の印刷ジョブの青インク色の孔版印刷動作を連続して実行し、赤インク色用の版胴Ｃ２５への版胴交換後、２番目及び３番目の印刷ジョブの赤インク色の孔版印刷動作を連続して実行するようになる。これにより、１番目から４番目までの各印刷ジョブによる印刷を少ない版胴交換回数で実行できる。【選択図】図１
2009107181.tif 000002
【特許請求の範囲】
【請求項１】
印刷するインク色毎に交換される版胴を用い、この版胴に巻装した孔版に印刷用紙を圧接させて行う孔版印刷動作をインク色毎に繰り返すことで、多色印刷の印刷ジョブを実行する孔版印刷機の制御装置であって、
前記印刷ジョブにおける任意のインク色に関する前記孔版印刷動作が実行されている間に前記印刷ジョブが新規に発生した場合に、該新規に発生した印刷ジョブが、実行中の前記孔版印刷動作のインク色と同じインク色による印刷を含むものであるか否かを判別する同色印刷判別手段と、
前記新規に発生した印刷ジョブが、前記実行中の孔版印刷動作のインク色と同じインク色による印刷を含むものであると前記同色印刷判別手段が判別した場合に、前記新規に発生した印刷ジョブにおける、前記実行中の孔版印刷動作のインク色と同じインク色の前記孔版印刷動作を、前記実行中の孔版印刷動作の終了後に連続して実行させる同色印刷実行指示手段と、
前記新規に発生した印刷ジョブが、前記実行中の孔版印刷動作のインク色と同じインク色による印刷を含むものでないと前記同色印刷判別手段が判別した場合、又は、前記印刷ジョブにおける任意のインク色に関する前記孔版印刷動作が実行されている間に前記印刷ジョブが新規に発生しなかった場合に、前記実行中の孔版印刷動作のインク色と異なるインク色用の前記版胴への交換を要求するメッセージを、前記実行中の孔版印刷動作の終了後にメッセージ表示部に表示させるメッセージ表示指示手段と、
前記メッセージ表示部に表示される前記メッセージに呼応した前記版胴の交換が検出された場合に、交換された前記版胴に対応するインク色に関する前記孔版印刷動作を、未完了の前記各印刷ジョブについて順次実行させる別色印刷実行指示手段と、
を備えることを特徴とする孔版印刷機の制御装置。
【請求項２】
前記メッセージ表示指示手段は、前記実行中の孔版印刷動作のインク色と異なるインク色用の前記版胴であって、その異なるインク色による印刷を含む前記未完了の印刷ジョブの数が最も多いインク色用の前記版胴への交換を要求する前記メッセージを、前記実行中の孔版印刷動作の終了後に前記メッセージ表示部に表示させることを特徴とする請求項１記載の孔版印刷機の制御装置。
【請求項３】
前記メッセージ表示指示手段は、前記実行中の孔版印刷動作のインク色と異なるインク色用の前記版胴であって、その異なるインク色による印刷枚数が最も多いインク色用の前記版胴への交換を要求する前記メッセージを、前記実行中の孔版印刷動作の終了後に前記メッセージ表示部に表示させることを特徴とする請求項１記載の孔版印刷機の制御装置。
【請求項４】
前記メッセージ表示指示手段は、相対的に明度の低いインク色用の前記版胴への交換を要求する前記メッセージを優先して前記メッセージ表示部に表示させることを特徴とする請求項１記載の孔版印刷機の制御装置。
【請求項５】
前記印刷ジョブにおける任意のインク色に関する前記孔版印刷動作が実行されている間に前記新規の印刷ジョブが発生した場合に、前記実行中の孔版印刷動作に関するインク色と同じインク色により該実行中の孔版印刷動作と連続して実行された前記孔版印刷動作による累計印刷枚数を計数する同色印刷枚数計数手段をさらに備えており、
前記未完了ジョブ判別手段は、前記同色印刷枚数計数手段が計数した前記累計印刷枚数が所定枚数に達していない場合にのみ、前記未完了の印刷ジョブが存在するか否かの判別を行い、
前記メッセージ表示指示手段はさらに、前記同色印刷枚数計数手段が計数した前記累計印刷枚数が所定枚数に達した場合に、前記実行中の孔版印刷動作のインク色と異なるインク色用の前記版胴への交換を要求する前記メッセージを、前記実行中の孔版印刷動作の終了後に前記メッセージ表示部に表示させる、
ことを特徴とする請求項１、２、３又は４記載の孔版印刷機の制御装置。
【請求項６】
前記印刷ジョブにおける任意のインク色に関する前記孔版印刷動作が実行されている間に前記新規の印刷ジョブが発生した場合に、前記実行中の孔版印刷動作に関するインク色と同じインク色により該実行中の孔版印刷動作と連続して前記孔版印刷動作が実行された前記印刷ジョブ数を計数する同色ジョブ数計数手段をさらに備えており、
前記未完了ジョブ判別手段は、前記同色ジョブ数計数手段が計数した前記印刷ジョブ数が所定ジョブ数に達していない場合にのみ、前記未完了の印刷ジョブが存在するか否かの判別を行い、
前記メッセージ表示指示手段はさらに、前記同色ジョブ数計数手段が計数した前記印刷ジョブ数が所定ジョブ数に達した場合に、前記実行中の孔版印刷動作のインク色と異なるインク色用の前記版胴への交換を要求する前記メッセージを、前記実行中の孔版印刷動作の終了後に前記メッセージ表示部に表示させる、
ことを特徴とする請求項１、２、３又は４記載の孔版印刷機の制御装置。
【請求項７】
前記印刷ジョブにおける任意のインク色に関する前記孔版印刷動作が実行されている間に前記新規の印刷ジョブが発生した場合に、前記実行中の孔版印刷動作に関するインク色と同じインク色により該実行中の孔版印刷動作と連続して実行された一番最初の前記孔版印刷動作の開始からの経過時間を計数する同色印刷時間数計数手段をさらに備えており、
前記未完了ジョブ判別手段は、前記同色印刷時間数計数手段が計数した前記経過時間が所定時間に達していない場合にのみ、前記未完了の印刷ジョブが存在するか否かの判別を行い、
前記メッセージ表示指示手段はさらに、前記同色印刷時間数計数手段が計数した前記経過時間が所定時間に達した場合に、前記実行中の孔版印刷動作のインク色と異なるインク色用の前記版胴への交換を要求する前記メッセージを、前記実行中の孔版印刷動作の終了後に前記メッセージ表示部に表示させる、
ことを特徴とする請求項１、２、３又は４記載の孔版印刷機の制御装置。
【請求項８】
印刷するインク色毎に交換される版胴を用い、この版胴に巻装した孔版に印刷用紙を圧接させて行う孔版印刷動作をインク色毎に繰り返すことで、多色印刷の印刷ジョブを実行する孔版印刷機であって、
請求項１、２、３、４、５、６又は７記載の孔版印刷機の制御装置を有する、
ことを特徴とする孔版印刷機。
【発明の詳細な説明】
【技術分野】
【０００１】
本発明は、版胴に巻装した孔版に印刷用紙を圧接させて行う孔版印刷動作により印刷ジョブを実行する孔版印刷機とその制御装置に係り、特に、インク色毎に版胴を交換して孔版印刷動作を繰り返すことで多色印刷の印刷ジョブを実行する孔版印刷機とその制御装置に関する。
【背景技術】
【０００２】
従来より、版胴を１つしか持たない孔版印刷機では、版胴に巻装した孔版に印刷用紙を圧接させて行う孔版印刷動作を、インク色毎に版胴を交換して繰り返すことで、多色印刷の印刷ジョブを実行している。したがって、印刷するインク色が変わる毎に版胴の交換作業を行う必要がある。特に、多色印刷の印刷ジョブのページが複数である場合には、版胴の交換作業が相当の回数となる。
【０００３】
そこで、本出願人は、印刷ジョブ中の各ページ毎のインク色を事前に確認し、孔版印刷動作の対象となるページが替わる際に、前後のページで同じインク色の孔版印刷動作を続けて行うようにすることで、版胴の交換回数を減らす提案を過去に行っている（例えば、特許文献１）。
【特許文献１】特開２００２−８６６８６号公報
【発明の開示】
【発明が解決しようとする課題】
【０００４】
上述した本出願人の提案は、複数のページを有する多色印刷の印刷ジョブを処理する際の版胴の交換作業を軽減することが可能な非常に有用な提案である。そして、本出願人はさらに、例えば単一の孔版印刷機を複数のユーザが共用する等の理由で複数の印刷ジョブが立て続けに発生した場合に、上述した本出願人の提案のように版胴の交換作業を軽減できるようにすることを検討するに至った。
【０００５】
本発明は上記実情に鑑みなされたものであり、本発明の目的は、多色印刷の印刷ジョブを複数実行する際の版胴の交換作業を軽減することができる孔版印刷機とその制御装置を提供することにある。
【課題を解決するための手段】
【０００６】
上記目的を達成するために、請求項１に記載した本発明の孔版印刷機の制御装置は、印刷するインク色毎に交換される版胴を用い、この版胴に巻装した孔版に印刷用紙を圧接させて行う孔版印刷動作をインク色毎に繰り返すことで、多色印刷の印刷ジョブを実行する孔版印刷機の制御装置であって、前記印刷ジョブにおける任意のインク色に関する前記孔版印刷動作が実行されている間に前記印刷ジョブが新規に発生した場合に、該新規に発生した印刷ジョブが、実行中の前記孔版印刷動作のインク色と同じインク色による印刷を含むものであるか否かを判別する同色印刷判別手段と、前記新規に発生した印刷ジョブが、前記実行中の孔版印刷動作のインク色と同じインク色による印刷を含むものであると前記同色印刷判別手段が判別した場合に、前記新規に発生した印刷ジョブにおける、前記実行中の孔版印刷動作のインク色と同じインク色の前記孔版印刷動作を、前記実行中の孔版印刷動作の終了後に連続して実行させる同色印刷実行指示手段と、前記新規に発生した印刷ジョブが、前記実行中の孔版印刷動作のインク色と同じインク色による印刷を含むものでないと前記同色印刷判別手段が判別した場合、又は、前記印刷ジョブにおける任意のインク色に関する前記孔版印刷動作が実行されている間に前記印刷ジョブが新規に発生しなかった場合に、前記実行中の孔版印刷動作のインク色と異なるインク色用の前記版胴への交換を要求するメッセージを、前記実行中の孔版印刷動作の終了後にメッセージ表示部に表示させるメッセージ表示指示手段と、前記メッセージ表示部に表示される前記メッセージに呼応した前記版胴の交換が検出された場合に、交換された前記版胴に対応するインク色に関する前記孔版印刷動作を、未完了の前記各印刷ジョブについて順次実行させる別色印刷実行指示手段とを備えることを特徴とする。
【０００７】
請求項１に記載した本発明の孔版印刷機の制御装置によれば、ある印刷ジョブについて任意のインク色による孔版印刷動作が実行されている間に発生した新規の印刷ジョブが、同じインク色による印刷を含むものであると、その新規の印刷ジョブの同じインク色の孔版印刷動作が優先して、実行中の孔版印刷動作の終了後に連続して同色印刷実行指示手段により実行されることになる。したがって、これら２つの連続する孔版印刷動作の実行中に、異なるインク色用の版胴への交換が不要となる。
【０００８】
また、ある印刷ジョブについて任意のインク色による孔版印刷動作が実行されている間に発生した新規の印刷ジョブが、同じインク色による印刷を含むものでなかったり、ある印刷ジョブについて任意のインク色による孔版印刷動作が実行されている間に新規の印刷ジョブが発生しないと、実行中の孔版印刷動作のインク色とは異なるインク色用の版胴への交換を要求するメッセージが、実行中の孔版印刷動作の終了後にメッセージ表示指示手段により孔版印刷機のメッセージ表示部に表示されることになる。
【０００９】
このため、多色印刷の印刷ジョブが複数発生している場合に、それら複数の印刷ジョブが、同じインク色の孔版印刷動作どうしをまとめて連続実行しながら処理されることになる。よって、複数の印刷ジョブにおける版胴の交換回数が少なくて済むようになり、それにより、多色印刷の印刷ジョブを複数実行する際の版胴の交換作業を軽減することができる。
【００１０】
また、請求項２に記載した本発明の孔版印刷機の制御装置は、請求項１に記載した本発明の孔版印刷機の制御装置において、前記メッセージ表示指示手段が、前記実行中の孔版印刷動作のインク色と異なるインク色用の前記版胴であって、その異なるインク色による印刷を含む前記未完了の印刷ジョブの数が最も多いインク色用の前記版胴への交換を要求する前記メッセージを、前記実行中の孔版印刷動作の終了後に前記メッセージ表示部に表示させることを特徴とする。
【００１１】
請求項２に記載した本発明の孔版印刷機の制御装置によれば、請求項１に記載した本発明の孔版印刷機の制御装置において、メッセージ表示指示手段により孔版印刷機のメッセージ表示部に版胴への交換を要求するメッセージが表示される際、交換対象となる版胴が、未完了の印刷ジョブの数が最も多いインク色用の版胴となる。
【００１２】
このため、未完了の印刷ジョブの数が多いインク色の孔版印刷動作が優先して実行されるようにして、特定のインク色について未完了の印刷ジョブが数多く溜まってしまうのを防ぎ、各インク色の孔版印刷動作を効率的に実行、完了させることができる。
【００１３】
さらに、請求項３に記載した本発明の孔版印刷機の制御装置は、請求項１に記載した本発明の孔版印刷機の制御装置において、前記メッセージ表示指示手段が、前記実行中の孔版印刷動作のインク色と異なるインク色用の前記版胴であって、その異なるインク色による印刷枚数が最も多いインク色用の前記版胴への交換を要求する前記メッセージを、前記実行中の孔版印刷動作の終了後に前記メッセージ表示部に表示させることを特徴とする。
【００１４】
請求項３に記載した本発明の孔版印刷機の制御装置によれば、請求項１に記載した本発明の孔版印刷機の制御装置において、メッセージ表示指示手段により孔版印刷機のメッセージ表示部に版胴への交換を要求するメッセージが表示される際、交換対象となる版胴が、印刷枚数が最も多いインク色用の版胴となる。
【００１５】
このため、印刷枚数の多いインク色の孔版印刷動作が優先して実行されるようにして、特定のインク色について印刷待ちの枚数が数多く溜まってしまうのを防ぎ、各インク色の孔版印刷動作を効率的に実行、完了させることができる。
【００１６】
また、請求項４に記載した本発明の孔版印刷機の制御装置は、請求項１に記載した本発明の孔版印刷機の制御装置において、前記メッセージ表示指示手段が、相対的に明度の低いインク色用の前記版胴への交換を要求する前記メッセージを優先して前記メッセージ表示部に表示させることを特徴とする。
【００１７】
請求項４に記載した本発明の孔版印刷機の制御装置によれば、請求項１に記載した本発明の孔版印刷機の制御装置において、メッセージ表示指示手段により孔版印刷機のメッセージ表示部に版胴への交換を要求するメッセージが表示される際、明度の低いインク色用の版胴が優先して交換対象の版胴とされる。
【００１８】
このため、特に、多色印刷が減色混法によるカラー印刷である場合に、インクの定着の良い低い明度のインクによる孔版印刷動作を優先して実行させて、カラー印刷のための複数の印刷ジョブを効率的に実行、完了させることができる。
【００１９】
さらに、請求項５に記載した本発明の孔版印刷機の制御装置は、請求項１、２、３又は４記載の孔版印刷機の制御装置において、前記印刷ジョブにおける任意のインク色に関する前記孔版印刷動作が実行されている間に前記新規の印刷ジョブが発生した場合に、前記実行中の孔版印刷動作に関するインク色と同じインク色により該実行中の孔版印刷動作と連続して実行された前記孔版印刷動作による累計印刷枚数を計数する同色印刷枚数計数手段をさらに備えており、前記未完了ジョブ判別手段が、前記同色印刷枚数計数手段が計数した前記累計印刷枚数が所定値に達していない場合にのみ、前記未完了の印刷ジョブが存在するか否かの判別を行い、前記メッセージ表示指示手段がさらに、前記同色印刷枚数計数手段が計数した前記累計印刷枚数が所定値に達した場合に、前記実行中の孔版印刷動作のインク色と異なるインク色用の前記版胴への交換を要求する前記メッセージを、前記実行中の孔版印刷動作の終了後に前記メッセージ表示部に表示させることを特徴とする。
【００２０】
請求項５に記載した本発明の孔版印刷機の制御装置によれば、請求項１、２、３又は４記載の孔版印刷機の制御装置において、実行中の孔版印刷動作と連続して実行された同じインク色の孔版印刷動作による累計印刷枚数が所定枚数に達すると、孔版印刷動作の実行中に同じインク色による印刷を含む新規の印刷ジョブが発生しても、その新規の印刷ジョブの同じインク色による孔版印刷動作は連続して実行されない。そして、他のインク色用の版胴への交換を要求するメッセージが孔版印刷機のメッセージ表示部に表示されて、既に発生している印刷ジョブの他のインク色による孔版印刷動作が優先して実行されるようになる。
【００２１】
このため、同じインク色の印刷を含む印刷ジョブが立て続けに発生した場合であっても、早い時期に発生した印刷ジョブがいつまで経っても完了しなくなってしまうのを防止することができる。
【００２２】
また、請求項６に記載した本発明の孔版印刷機の制御装置は、請求項１、２、３又は４記載の孔版印刷機の制御装置において、前記印刷ジョブにおける任意のインク色に関する前記孔版印刷動作が実行されている間に前記新規の印刷ジョブが発生した場合に、前記実行中の孔版印刷動作に関するインク色と同じインク色により該実行中の孔版印刷動作と連続して前記孔版印刷動作が実行された前記印刷ジョブ数を計数する同色ジョブ数計数手段をさらに備えており、前記未完了ジョブ判別手段が、前記同色ジョブ数計数手段が計数した前記印刷ジョブ数が所定値に達していない場合にのみ、前記未完了の印刷ジョブが存在するか否かの判別を行い、前記メッセージ表示指示手段がさらに、前記同色ジョブ数計数手段が計数した前記印刷ジョブ数が所定値に達した場合に、前記実行中の孔版印刷動作のインク色と異なるインク色用の前記版胴への交換を要求する前記メッセージを、前記実行中の孔版印刷動作の終了後に前記メッセージ表示部に表示させることを特徴とする。
【００２３】
請求項６に記載した本発明の孔版印刷機の制御装置によれば、請求項１、２、３又は４記載の孔版印刷機の制御装置において、実行中の孔版印刷動作と連続して同じインク色の孔版印刷動作が実行された印刷ジョブ数が所定ジョブ数に達すると、孔版印刷動作の実行中に同じインク色による印刷を含む新規の印刷ジョブが発生しても、その新規の印刷ジョブの同じインク色による孔版印刷動作は連続して実行されない。そして、他のインク色用の版胴への交換を要求するメッセージが孔版印刷機のメッセージ表示部に表示されて、既に発生している印刷ジョブの他のインク色による孔版印刷動作が優先して実行されるようになる。
【００２４】
このため、同じインク色の印刷を含む印刷ジョブが立て続けに発生した場合であっても、早い時期に発生した印刷ジョブがいつまで経っても完了しなくなってしまうのを防止することができる。
【００２５】
さらに、請求項７に記載した本発明の孔版印刷機の制御装置は、請求項１、２、３又は４記載の孔版印刷機の制御装置において、前記印刷ジョブにおける任意のインク色に関する前記孔版印刷動作が実行されている間に前記新規の印刷ジョブが発生した場合に、前記実行中の孔版印刷動作に関するインク色と同じインク色により該実行中の孔版印刷動作と連続して実行された一番最初の前記孔版印刷動作の開始からの経過時間を計数する同色印刷時間数計数手段をさらに備えており、前記未完了ジョブ判別手段が、前記同色印刷時間数計数手段が計数した前記経過時間が所定時間に達していない場合にのみ、前記未完了の印刷ジョブが存在するか否かの判別を行い、前記メッセージ表示指示手段がさらに、前記同色印刷時間数計数手段が計数した前記経過時間が所定時間に達した場合に、前記実行中の孔版印刷動作のインク色と異なるインク色用の前記版胴への交換を要求する前記メッセージを、前記実行中の孔版印刷動作の終了後に前記メッセージ表示部に表示させることを特徴とする。
【００２６】
請求項７に記載した本発明の孔版印刷機の制御装置によれば、請求項１、２、３又は４記載の孔版印刷機の制御装置において、実行中の孔版印刷動作と連続して同じインク色で実行された一番最初の孔版印刷動作の開始からの経過時間が所定時間に達すると、孔版印刷動作の実行中に同じインク色による印刷を含む新規の印刷ジョブが発生しても、その新規の印刷ジョブの同じインク色による孔版印刷動作は連続して実行されない。そして、他のインク色用の版胴への交換を要求するメッセージが孔版印刷機のメッセージ表示部に表示されて、既に発生している印刷ジョブの他のインク色による孔版印刷動作が優先して実行されるようになる。
【００２７】
このため、同じインク色の印刷を含む印刷ジョブが立て続けに発生した場合であっても、早い時期に発生した印刷ジョブがいつまで経っても完了しなくなってしまうのを防止することができる。
【００２８】
また、請求項８に記載した本発明の孔版印刷機は、印刷するインク色毎に交換される版胴を用い、この版胴に巻装した孔版に印刷用紙を圧接させて行う孔版印刷動作をインク色毎に繰り返すことで、多色印刷の印刷ジョブを実行する孔版印刷機であって、請求項１、２、３、４、５、６又は７記載の孔版印刷機の制御装置を有することを特徴とする。
【００２９】
請求項８に記載した本発明の孔版印刷機によれば、請求項１、２、３、４、５、６又は７に記載した本発明の孔版印刷機の制御装置と同様の効果を得ることができる。
【発明の効果】
【００３０】
本発明によれば、多色印刷の印刷ジョブが複数発生している場合に、同じインク色の孔版印刷動作どうしをまとめて連続実行しながら複数の印刷ジョブを処理するようにして、複数の印刷ジョブを実行する際の版胴の交換回数を減らし、版胴交換のための作業を軽減することができる。
【発明を実施するための最良の形態】
【００３１】
以下、本発明の実施形態について図面を参照しながら説明する。
【００３２】
図１は、本発明の制御装置を適用した本発明の一実施形態に係る孔版印刷システムのネットワーク構成を示す説明図である。
【００３３】
図１に示すように、本実施形態の孔版印刷システムは、ＬＡＮ等のネットワークＮに接続されたユーザ１〜４の４台のクライアント端末ＰＣ１〜ＰＣ４からの印刷ジョブを、ネットワークＮ上のプリンタサーバＳの制御により孔版印刷機１に実行させるシステム構成となっている。したがって、本実施形態では、プリンタサーバＳに本発明の制御装置が適用される。
【００３４】
本実施形態の孔版印刷機１は、引用符号２５で示す黒、青、赤の３つのインク色用の版胴Ａ、版胴Ｂ、版胴Ｃを交換してセットすることで、多色印刷が行えるように構成されている。この孔版印刷機１は、プリンタサーバＳにインストールされたプリンタドライバプログラムの実行により、セットされた版胴Ａ２５、版胴Ｂ２５、版胴Ｃ２５のインク色に応じた孔版印刷動作を行う。
【００３５】
孔版印刷機１は、図２に示すように構成される。図２において、孔版印刷機１は、原稿読取部７，８と製版部２と印刷部３と給紙部４と排紙部５と排版部６とから主に構成されている。なお、図２においては、説明の便宜上、図１に示す版胴Ａ２５、版胴Ｂ２５、版胴Ｃ２５を総称して版胴２５として示すことにする。
【００３６】
原稿読取部７，８は、原稿を自動的に搬送して画像データを得る自動原稿送り読取部７と、載置された原稿から画像データを得る原稿載置読取部８とを有する。
【００３７】
自動原稿送り読取部７は、原稿を載置する斜め傾斜の原稿傾斜板９と、原稿傾斜板９に載置された原稿を搬送する一対の原稿搬送ロール１０と、搬送された原稿内容を電気信号に変換して画像データを得るラインイメージセンサ１１とから構成されている。このラインイメージセンサ１１は原稿載置読取部８のものと兼用されている。
【００３８】
原稿載置読取部８は、原稿を載置する水平な原稿載置ガラス台１２と、この原稿載置ガラス台１２上に開閉可能に設けられた圧板（図示せず）と、原稿載置ガラス台１２の下方に配置され、リードパルスモータ（図示せず）の駆動力により移動するガイドベルト１５と、このガイドベルト１５の案内により原稿載置ガラス台１２の下方を移動するラインイメージセンサ１１とを有する。
【００３９】
そして、自動原稿送り読取部７は、ラインイメージセンサ１１が図２の略右端に位置し、原稿搬送ロール１０により搬送される原稿をラインイメージセンサ１１により読み取る。原稿載置読取部８は、ラインイメージセンサ１１がガイドベルト１５に案内されて移動し、原稿の下を走査して原稿内容を読み取る。
【００４０】
製版部２は、ロールされた長尺状の孔版原紙１６を収容する原紙収容部１７と、原紙収容部１７に対し孔版原紙１６の搬送方向の下流に配置された書き込みヘッドであるサーマルヘッド１８と、このサーマルヘッド１８の対向位置に配置され、ライトパルスモータ（図示せず）の駆動力により回転するプラテンロール１９と、プラテンロール１９及びサーマルヘッド１８に対し孔版原紙１６の搬送方向の下流に配置され、ライトパルスモータ（図示せず）の駆動力により回転する一対の原紙送りロール２０と、一対の原紙送りロール２０の更に搬送下流に配置された一対の原紙送りロール２１と、この一対の原紙送りロール２１の搬送下流に配置された原稿カッタ２２とを有する。
【００４１】
サーマルヘッド１８は孔版原紙１６の搬送方向に対する垂直方向に配置された複数の点状発熱体を有し、第１の実施形態では最大印刷用紙がＡ３サイズであるためＡ３幅の範囲に亘って点状発熱体が配置されている。
【００４２】
そして、プラテンロール１９と原紙送りロール２０，２１の回転により孔版原紙１６を搬送し、ラインイメージセンサ１１で読み取った画像データに基づきサーマルヘッド１８の各点状発熱体が選択的に発熱動作することにより孔版原紙１６に感熱穿孔して孔版形成し、この製版した孔版原紙１６の後流箇所を原紙カッタ２２で切断して所定長さの孔版原紙１６を作成する。
【００４３】
印刷部３は、外周部分が多孔構造によるインキ通過性の部材で構成され、メインモータ（図示せず）の駆動力によって図２のＡ矢印方向に回転する版胴２５と、この版胴２５の外周面に設けられ、孔版原紙１６の先端をクランプするクランプ部２６とを有する。
【００４４】
また、印刷部３は、前記版胴２５の内部に配置されたスキージロール３０及びドクターロール３１と、この双方のロール３０、３１間にインク３２を供給するインキ供給部（図示せず）と、版胴２５の回転に同期して搬送されて来る印刷用紙３４を版胴２５の孔版原紙１６に押圧するプレスローラ３５と、プレスロール３５を押圧位置と待機位置とに移動させるプランジャ３６とを有する。
【００４５】
そして、製版部２から搬送される孔版原紙１６の先端をクランプ部２６でクランプし、このクランプした状態で版胴２５が回転されて孔版原紙１６が版胴２５の外周面に巻き付け装着され、版胴２５の回転に同期して搬送されて来る印刷用紙３４をプレスロール３５にて版胴２５の孔版原紙１６に押圧することによって印刷用紙３４に孔版原紙１６の穿孔部分からインク３２が転写されて画像が印刷される。
【００４６】
給紙部４は、印刷媒体である印刷用紙３４が積層される給紙台３７と、この給紙台３７から最上位置の印刷用紙３４のみを移動させる一次給紙ロール３８と、この一次給紙ロール３８によって移動された印刷用紙３４を版胴２５の回転に同期して版胴２５とプレスローラ３５間に搬送する一対の二次給紙ロール３９とを有する。一次給紙ロール３８や二次給紙ローラ３９には各給紙クラッチ（図示せず）を介してメインモータ（図示せず）の回転が選択的に伝達されるよう構成されている。
【００４７】
排紙部５は、印刷が完了した印刷用紙３４を版胴２５から剥ぎ取る用紙剥取り爪４２と、この用紙剥取り爪４２で剥ぎ取った印刷用紙３４を搬送するベルトコンベア搬送機構４３と、このベルトコンベア搬送機構４３によって搬送されて来た印刷済みの印刷用紙３４を積層状態で載置する排紙台４４とを有する。
【００４８】
排版部６は、版胴２５に巻き付け装着された孔版原紙１６を版胴２５より引き剥がす排版分離爪４５と、この排版分離爪４５により引き剥がされた孔版原紙１６を搬送する一対の排版ロール４６と、この一対の排版ロール４６によって搬送されて来る孔版原紙１６を収納する排版ボックス４７とを有する。
【００４９】
つぎに、本実施形態に係る孔版印刷機１の制御系を図３を参照して説明する。
【００５０】
本発明の実施形態に係る孔版印刷機１の本体には操作入力部５１、表示パネル５２が設けられている。操作入力部５１には、製版／印刷スタートキー、印刷枚数等を入力するためのテンキー等の他に単色印刷キーが設けられている。この操作入力部５１は、利用者の操作に応じて操作入力情報を生成して制御部５３に出力する。
【００５１】
操作入力部５１の入力データは制御部５３に出力され、制御部５３は、入力データに基づいて、原稿読取処理部５４、製版処理部（＝製版部）５５、孔版印刷処理部（＝印刷部）５６、給紙処理部５７、排紙処理部５８、および排版処理部（＝排版部）５９を統括制御する。また、制御部５３は、各種制御プログラムが格納されたＲＯＭ６０およびＲＡＭ６１の書き込みや読み出しを制御する。
【００５２】
さらに、制御部５３は、上述したプリンタサーバＳに接続されており、プリンタサーバＳから印刷対象となる画像データ、印刷順序を示す印刷順序情報及びプリンタ制御命令を読み込むことが可能な構成となっている。
【００５３】
制御部５３は、プリンタサーバＳにインストールされているプリンタドライバによって生成されたプリンタ制御命令に従って、画像データの入力、製版処理の開始及び終了、印刷処理の開始及び終了が制御される。
【００５４】
ちなみに、プリンタサーバＳは、図１に示すように、孔版印刷機１の制御部５３とネットワーク回線を介したデータや命令、各種情報の送受信をする入出力Ｉ／Ｆ（図示せず）、画像データや、孔版印刷機１を制御するためのプリンタ制御プログラム（プリンタドライバ）を記憶するメモリＭ、ユーザの操作入力に応じてプリンタ制御プログラムを起動して孔版印刷機１に対するデータの送信、プリンタ制御命令の送信等を行う中央処理装置ＣＰＵ等を備えて構成される。
【００５５】
つぎに、中央処理装置ＣＰＵによる印刷順序情報の生成について説明する。
【００５６】
本実施形態においては、図４に示すように、ユーザ１〜４からの要求による４つの印刷ジョブを、プリンタサーバＳの制御により孔版印刷機１で印刷する場合を説明する。
【００５７】
１番目の印刷ジョブは、ユーザ４からの要求によるもので、黒インク色及び青インク色の印刷を含む１枚の原稿（ドキュメント）に関するものである。２番目の印刷ジョブは、ユーザ１からの要求によるもので、黒インク色、青インク色及び赤インク色の印刷を含む１枚の原稿に関するものである。３番目の印刷ジョブは、ユーザ３からの要求によるもので、黒インク色及び赤インク色を含む１枚の原稿に関するものである。４番目の印刷ジョブは、ユーザ２からの要求によるもので、黒インク色及び青インク色を含む１枚の原稿に関するものである。
【００５８】
中央処理装置ＣＰＵは、図４で示される印刷ジョブの各原稿を印刷をするときに、図５に示すような手順で印刷をすることを示す印刷順序情報を作成する。ここで、図５に示す一例では、黒、青、赤のインク色の版胴Ａ２５、版胴Ｂ２５、版胴Ｃ２５（図１参照）を使用して印刷を行うときの印刷順序を示し、図中の囲い数字で印刷順番を示す。
【００５９】
すなわち、中央処理装置ＣＰＵは、１番目の印刷ジョブから４番目の印刷ジョブまでを通して黒インク色の孔版印刷動作を連続して実行させ、その後、黒インク色用の版胴Ａ２５から青インク色用の版胴Ｂ２５に交換させて、１番目、２番目、４番目の印刷ジョブの青インク色の孔版印刷動作を連続して実行させ、続いて、青インク色の版胴Ｂ２５から赤インク色の版胴Ｃ２５に交換させて、２番目及び３番目の印刷ジョブの赤インク色の孔版印刷動作を連続して実行させて、１番目から４番目までの各印刷ジョブによる印刷を孔版印刷機１に実行させるための印刷順序情報を作成する。
【００６０】
ここで、中央処理装置ＣＰＵは、図６に示すような表示画面を示す表示データを作成し、図１に示すクライアント端末ＰＣ１〜ＰＣ４のモニタ（図示せず）と、孔版印刷機１の表示パネル５２とにそれぞれ表示させる。図６によれば、中央処理装置ＣＰＵは、各印刷ジョブの原稿をサムネイル表示する印刷ジョブ概要表示８１、印刷ジョブごとに使用する版胴２５を示す版胴表示８２を、クライアント端末ＰＣ１〜ＰＣ４のモニタ（図示せず）と、孔版印刷機１の表示パネル５２とにそれぞれ行わせる。
【００６１】
中央処理装置ＣＰＵは、印刷順序情報に従って、画像データに含まれる１番目〜４番目印刷ジョブの概要をユーザに提示する印刷ジョブ概要表示８１を、クライアント端末ＰＣ１〜ＰＣ４のモニタ（図示せず）と、孔版印刷機１の表示パネル５２とにそれぞれ行わせる。版胴表示８２では、各印刷ジョブ（印刷ジョブ概要表示８１）に対応して使用するインク色を付加した版胴Ａ２５、版胴Ｂ２５、版胴Ｃ２５の絵柄表示８２ａを行わせる。また、中央処理装置ＣＰＵは、版胴表示８２として、各版胴Ａ２５、版胴Ｂ２５、版胴Ｃ２５で印刷する順番表示８２ｂを行わせる。更に、中央処理装置ＣＰＵは、孔版印刷機１が現在孔版印刷動作を行っている印刷ジョブで使用している版胴Ａ２５、版胴Ｂ２５、版胴Ｃ２５を示す印刷中表示８２ｃを行わせる。
【００６２】
中央処理装置ＣＰＵは、孔版印刷機１から各版胴Ａ２５、版胴Ｂ２５、版胴Ｃ２５による印刷が完了する旨の信号に従って、図７に示すようにチェックマークを付加した印刷済表示８３を、図１に示すクライアント端末ＰＣ１〜ＰＣ４のモニタ（図示せず）と、孔版印刷機１の表示パネル５２とにそれぞれ表示させるとともに、順番表示８２ｂを網掛け表示とする。青インク色用の版胴Ｂ２５から黒インク色用の版胴Ａ２５に交換の必要が発生したときには、その旨をクライアント端末ＰＣ１〜ＰＣ４のモニタ（図示せず）と、孔版印刷機１の表示パネル５２とにそれぞれ表示させてユーザに提示する。
【００６３】
つぎに、上述した印刷順序情報を作成するときの中央処理装置ＣＰＵの処理手順について図８を参照して説明する。
【００６４】
先ず、中央処理装置ＣＰＵは、各ユーザ１〜４のクライアント端末ＰＣ１〜ＰＣ４で発生した新規の印刷ジョブがネットワークＮを介して送られてきたか否かを確認する（ステップＳ１）。新規の印刷ジョブが送られてきていない場合は（ステップＳ１でＮＯ）、後述するステップＳ１３に進む。
【００６５】
新規の印刷ジョブが送られてきた場合は（ステップＳ１でＹＥＳ）、送られてきた印刷ジョブの印刷データをメモリＭに記憶する（ステップＳ３）。この印刷データは、印刷する原稿の枚数、各ページの画像データ、各ページの印刷色等の情報を含んでいる。そして、孔版印刷機１が現在行っている孔版印刷動作と同じインク色で連続して孔版印刷機１が過去に実行した他の印刷ジョブの孔版印刷動作に関して、しきい値に到達したか否かの確認を行う（ステップＳ５）。ここで行うしきい値到達確認の具体例としては、次の３通りが挙げられる。
【００６６】
まず、第１には、孔版印刷機１が現在行っている孔版印刷動作と同じインク色で連続して孔版印刷機１が過去に実行した他の印刷ジョブの孔版印刷動作の、累計（通算）印刷枚数が、所定印刷枚数に達したか否かを確認する内容とすることができる。この場合には、所定印刷枚数がしきい値と言うことになる。ここで、現在行っている孔版印刷動作において印刷された枚数を、累計（通算）印刷枚数に含めることもでき、除外することもできる。
【００６７】
次に、第２には、孔版印刷機１が現在行っている孔版印刷動作と同じインク色で連続して孔版印刷機１が過去に孔版印刷動作を実行した他の印刷ジョブの数が、所定ジョブ数に達したか否かを確認する内容とすることができる。この場合には、所定ジョブ数がしきい値と言うことになる。ここで、現在孔版印刷動作を行っている印刷ジョブを、印刷ジョブ数に含めることもでき、除外することもできる。
【００６８】
続いて、第３には、孔版印刷機１が現在行っている孔版印刷動作と同じインク色で連続して孔版印刷機１が過去に実行した他の印刷ジョブの孔版印刷動作のうち、一番最初に実行した孔版印刷動作の開始からの経過時間が、所定時間数に達したか否かを確認する内容とすることができる。この場合には、所定時間数がしきい値と言うことになる。ここで、現在行っている孔版印刷動作を、経過時間に含めることもでき、除外することもできる。
【００６９】
そして、ステップＳ５におけるしきい値到達確認において、しきい値に到達したことが確認された場合は（ステップＳ５でＹＥＳ）、後述するステップＳ１３に進む。しきい値に到達していないことが確認された場合は（ステップＳ５でＮＯ）、ステップＳ１で送られてきた印刷ジョブの印刷データに、孔版印刷機１が現在行っている孔版印刷動作と同じインク色が印刷色として含まれているか否かを確認する（ステップＳ７）。含まれていない場合は（ステップＳ７でＮＯ）、ステップＳ１にリターンする。
【００７０】
含まれている場合は（ステップＳ７でＹＥＳ）、ステップＳ１で送られてきた印刷ジョブを含めて、まだ完了していない全ての印刷ジョブのうち、孔版印刷機１が現在行っている孔版印刷動作と同じインク色の孔版印刷動作が終わっていない印刷ジョブのうち１つについて、そのインク色の孔版印刷動作を孔版印刷機１に実行させるための印刷順序情報を生成する（ステップＳ９）。
【００７１】
そして、この印刷順序情報に応じた印刷ジョブの孔版印刷動作が孔版印刷機１において実行された後に、図１に示すクライアント端末ＰＣ１〜ＰＣ４のモニタ（図示せず）と、孔版印刷機１の表示パネル５２とにおいて、図７に示すように、孔版印刷動作が終了した印刷ジョブの印刷ジョブ概要表示８１において、対応するインク色の版胴Ａ２５、版胴Ｂ２５、版胴Ｃ２５の絵柄表示８２ａを、チェックマークを付加した印刷済表示８３とするとともに、順番表示８２ｂを網掛け表示とする（ステップＳ１１）。その後、ステップＳ１にリターンする。
【００７２】
ステップＳ１において新規の印刷ジョブが送られてきていない場合（ＮＯ）と、ステップＳ５におけるしきい値到達確認においてしきい値に到達したことが確認された場合（ＹＥＳ）に進むステップＳ１３では、図１に示すクライアント端末ＰＣ１〜ＰＣ４のモニタ（図示せず）と、孔版印刷機１の表示パネル５２とにおける印刷ジョブ概要表示８１において、対応するインク色の版胴Ａ２５、版胴Ｂ２５、版胴Ｃ２５のいずれにも印刷済表示８３がなされていない印刷ジョブがあるか否かを確認する。
【００７３】
そのような印刷ジョブがない場合は（ステップＳ１３でＮＯ）、印刷ジョブ概要表示８１において、対応するインク色の版胴Ａ２５、版胴Ｂ２５、版胴Ｃ２５のいずれかに印刷済表示８３がなされていない印刷ジョブがあるか否かを確認する（ステップＳ１５）。そのような印刷ジョブがない場合は（ステップＳ１５でＮＯ）、ステップＳ１にリターンする。
【００７４】
ステップＳ１３とステップＳ１５のどちらかで、そのような印刷ジョブがある場合（ＹＥＳ）は、次に孔版印刷動作を行うインク色を決定する（ステップＳ１７）。ここで行う次の孔版印刷動作に関するインク色の決定の具体例としては、次の３通りが挙げられる。
【００７５】
まず、第１には、版胴Ａ２５、版胴Ｂ２５、版胴Ｃ２５のいずれかに印刷済表示８３がなされていない全ての印刷ジョブについて、各版胴Ａ２５、版胴Ｂ２５、版胴Ｃ２５毎の数を集計し、一番数の多い版胴Ａ２５、版胴Ｂ２５、版胴Ｃ２５に対応するインク色を、次に孔版印刷動作を行うインク色に決定する内容とすることができる。
【００７６】
次に、第２には、版胴Ａ２５、版胴Ｂ２５、版胴Ｃ２５のいずれかに印刷済表示８３がなされていない全ての印刷ジョブについて印刷データの内容から、各版胴Ａ２５、版胴Ｂ２５、版胴Ｃ２５毎に、これから印刷する残り枚数の数を集計し、一番残り枚数の多い版胴Ａ２５、版胴Ｂ２５、版胴Ｃ２５に対応するインク色を、次に孔版印刷動作を行うインク色に決定する内容とすることができる。
【００７７】
続いて、第３には、全ての印刷ジョブを通じて印刷済表示８３がなされていない版胴Ａ２５、版胴Ｂ２５、版胴Ｃ２５を確認し、該当する版胴Ａ２５、版胴Ｂ２５、版胴Ｃ２５にそれぞれ対応するインク色のうち、最も明度の低い（色の濃い）インク色を、次に孔版印刷動作を行うインク色に決定する内容とすることができる。
【００７８】
そして、孔版印刷機１に現在セットされている版胴Ａ２５、版胴Ｂ２５、版胴Ｃ２５を、ステップＳ１７において決定されたインク色に対応する他の版胴Ａ２５、版胴Ｂ２５、版胴Ｃ２５に交換することを要求する、図９に示すようなメッセージを、図１に示すクライアント端末ＰＣ１〜ＰＣ４のモニタ（図示せず）と、孔版印刷機１の表示パネル５２とにそれぞれ表示させる（ステップＳ１９）。
【００７９】
さらに、孔版印刷機１から入力される信号により版胴Ａ２５、版胴Ｂ２５、版胴Ｃ２５が交換されたことを確認した後（ステップＳ２１）、その入力信号により判別される交換後の版胴Ａ２５、版胴Ｂ２５、版胴Ｃ２５に対応するインク色で孔版印刷動作を孔版印刷機１に行わせるべき印刷ジョブ（印刷データ）が実際に存在するか否かを確認する（ステップＳ２３）。存在しない場合は（ステップＳ２３でＮＯ）、ステップＳ１にリターンし、存在する場合は（ステップＳ２３でＹＥＳ）、ステップＳ９に進む。
【００８０】
したがって、ステップＳ１９でクライアント端末ＰＣ１〜ＰＣ４（図１参照）のモニタ（図示せず）と、孔版印刷機１の表示パネル５２とにそれぞれ表示させた図９のメッセージで指示されたとおりの版胴Ａ２５、版胴Ｂ２５、版胴Ｃ２５が孔版印刷機１に実際にセットされても、指示されていない間違った版胴Ａ２５、版胴Ｂ２５、版胴Ｃ２５が孔版印刷機１に実際にセットされても、孔版印刷機１に実際にセットされた版胴Ａ２５、版胴Ｂ２５、版胴Ｃ２５に応じた孔版印刷動作が孔版印刷機１において実行されることになる。
【００８１】
以上の説明からも明らかなように、本実施形態の孔版印刷システムにおいては、クライアント端末ＰＣ１〜ＰＣ４（図１参照）のモニタ（図示せず）と、孔版印刷機１の表示パネル５２とが、請求項中のメッセージ表示部にそれぞれ相当している。
【００８２】
このように構成された本実施形態の孔版印刷システムによれば、版胴２５の交換回数を少なくし、多色印刷を行うに際してユーザの目的に応じて効率よく印刷を行うことができる。また、孔版印刷機１を使用するユーザに、異なるインク色の版胴２５を装着する交換時期を通知し、ユーザに印刷処理の進行状況や版胴２５の交換時期を提示することができ孔版印刷機１の利便性を向上させることができる。
【００８３】
なお、上述した実施形態では、ネットワークＮと孔版印刷機１との間にプリンタサーバＳを介設し、プリンタサーバＳの制御により、クライアント端末ＰＣ１〜ＰＣ４（図１参照）のモニタ（図示せず）と、孔版印刷機１の表示パネル５２とに各種内容をそれぞれ表示する一例について説明した。しかし、プリンタサーバＳの中央処理装置ＣＰＵの機能を孔版印刷機１の制御部５３に全て持たせると共に、プリンタサーバＳのメモリＭに記憶した情報等を孔版印刷機１のＲＯＭ６０及びＲＡＭ６１に記憶させるように構成しても良い。その場合には、プリンタサーバＳを内蔵した孔版印刷機１、即ち、本発明の制御装置を内蔵した孔版印刷機が構成されることになる。
【００８４】
そして、プリンタサーバＳを孔版印刷機１の外部に独立して設けるか、それとも、プリンタサーバＳを孔版印刷機１に内蔵させるかを問わず、版胴２５の交換を要求するメッセージの表示は、上述した実施形態のように、クライアント端末ＰＣ１〜ＰＣ４のモニタ（図示せず）と孔版印刷機１の表示パネル５２との両方で行う必要は必ずしもない。すなわち、クライアント端末ＰＣ１〜ＰＣ４のモニタ（図示せず）と孔版印刷機１の表示パネル５２とのどちらか一方のみで、版胴２５の交換を要求するメッセージの表示を行うようにしてもよい。
【００８５】
なお、既にプリンタサーバＳに送られてきた全ての印刷ジョブの全てのインク色についての印刷が終了するまで、新規の印刷ジョブが発生しない場合には、孔版印刷機１はアイドル状態に移行することになる。
【００８６】
また、既にプリンタサーバＳに送られてきた全ての印刷ジョブの全てのインク色についての印刷が終了するまでの間に新規の印刷ジョブが発生したものの、新規の印刷ジョブの印刷データに含まれるインク色の孔版印刷動作が、既にプリンタサーバＳに送られてきた他の印刷ジョブについては全て終了してしまっている場合は、既にプリンタサーバＳに送られてきた他の印刷ジョブの残っているインク色の印刷が実行される。その印刷が全ての印刷ジョブについて実行され終えるまでの間にさらに新規の印刷ジョブが発生しない場合は、孔版印刷機１はアイドル状態に移行することになる。
【００８７】
ちなみに、上述した実施形態では、図８のステップＳ５に示すように、新規の印刷ジョブが各ユーザ１〜４のクライアント端末ＰＣ１〜ＰＣ４からネットワークＮを介してプリンタサーバＳに送られてきたときに、孔版印刷機１が現在行っている孔版印刷動作と同じインク色で連続して孔版印刷機１が過去に実行した他の印刷ジョブの孔版印刷動作に関して、しきい値に到達したか否かの確認を行う処理を行うものとした。
【００８８】
そして、しきい値に達している場合は、孔版印刷機１が現在行っている孔版印刷動作と同じインク色の印刷に関する印刷データが新規の印刷ジョブに存在しても、その印刷ジョブの同じインク色の印刷を行わずに、既にプリンタサーバＳに送られてきている他の印刷ジョブの他のインク色の印刷を優先して行う処理を行うものとした。
【００８９】
このような処理を行うことで、早い時期に発生した印刷ジョブがいつまで経っても完了しないままとなってしまうのを防止することができる。
【００９０】
このような処理を実行する上で、しきい値として用いるのは、上述した実施形態において例示した３種類のファクタ（パラメータ）に限らず、要は、早い時期に発生した印刷ジョブがいつまで経っても完了しないままとなってしまうのを防止することができるようにするのに適したファクタ（パラメータ）であればよい。
【００９１】
但し、上述した図８のステップＳ５に示すような処理は本発明の実施に当たって必須ではなく、省略することもできる。
【００９２】
また、上述した実施形態では、版胴２５を交換する際の交換対象を、最も印刷ジョブ数の多いインク色の版胴２５、最も印刷枚数の多いインク色の版胴２５、最も明度の低い（色の濃い）インク色の版胴２５のいずれかとするものとした。しかし、版胴２５を交換する際にどの版胴２５に交換するかの規則は任意に設定可能である。その際、設定した規則に則って版胴２５を交換することで、孔版印刷機１において行われる印刷動作の全体又は一部の運用上において何らかの利点をもたらすことができれば、極めて有用である。
【００９３】
さらに、上述した実施形態では、各印刷ジョブが１ページのドキュメントである場合について説明したが、一部又は全部の印刷ジョブが複数ページのドキュメントである場合にも、本発明は適用可能である。
【図面の簡単な説明】
【００９４】
【図１】本発明の一実施形態に係る孔版印刷システムのネットワーク構成を示す説明図である。
【図２】図１の孔版印刷機の構造を示す説明図である。
【図３】図１の孔版印刷機の制御系の構成を示すブロック図である。
【図４】図１の孔版印刷システムにおいて印刷処理をするときに使用するインク色を印刷ジョブ毎に示す図である。
【図５】図１のプリンタサーバの中央処理装置が作成する印刷順序情報を示す説明図である。
【図６】図１のクライアント端末のモニタに表示される印刷ジョブ概要表示及び版胴表示の説明図である。
【図７】図１の孔版印刷機における各印刷ジョブの各インク色毎の印刷の終了に伴って図６の印刷ジョブ概要表示及び版胴表示に付加されるチェックマークや網掛けを示す説明図である。
【図８】図１のプリンタサーバの中央処理装置が実行する処理の手順を示すフローチャートである。
【図９】孔版印刷機の版胴の交換を要求するメッセージの表示例を示す説明図である。
【符号の説明】
【００９５】
１    孔版印刷機
２５  版胴
５１  操作入力部
５２  表示パネル
５３  制御部
８１  印刷ジョブ概要表示
８２  版胴表示
８３  印刷済表示
ＣＰＵ  中央処理装置
Ｍ  メモリ
Ｎ  ネットワーク
ＰＣ１〜ＰＣ４  クライアント端末
Ｓ  プリンタサーバ
【図１】
2009107181.tif 000003
【図２】
2009107181.tif 000004
【図３】
2009107181.tif 000005
【図４】
2009107181.tif 000006
【図５】
2009107181.tif 000007
【図６】
2009107181.tif 000008
【図７】
2009107181.tif 000009
【図８】
2009107181.tif 000010
【図９】
2009107181.tif 000011